(57)【要約】【課題】ユーザが指定した区間の映像を確実に認識させるＩピクチャリピート再生動作を行うことができる光ディスク装置を提供する。【解決手段】予め設定されているジャンプ数ｎで指定されるｎ個先のｖｏｂｕ情報を取得すると（Ｓ４）、このｎ個先のｖｏｂｕが識別した指定区間内に存在するかどうかを検出する（Ｓ５）。ここで、指定区間内に存在すればこのｖｏｂｕの画像を再生し（Ｓ５→Ｓ６）、指定区間に存在しなければ指定区間の最後のｖｏｂｕ情報を取得して（Ｓ５→Ｓ１０）、この最後のｖｏｂｕの画像を再生する（Ｓ１１）。その後、再生した画像を時系列に順次繰り返し再生する。【選択図】  図２
2006180130.tif 000002
【特許請求の範囲】
【請求項１】
光ディスクに記録された１ｖｏｂｕを基準映像データとする映像データを読み出してデコードする映像データ読出手段と、
読み出した映像データをバッファリングするバッファリング手段と、
バッファリングされている映像データのうちの指定区間の映像データから所定数の基準映像データ間隔で特定画像を再生して時系列に出力する動作を繰り返すリピート処理手段と、を備えた光ディスク再生装置において、
前記リピート処理手段は、前記指定区間の映像データの最後の基準映像データを検出して、該最後の基準映像データと、この直前の特定画像を有する基準映像データとの間隔が、前記所定数の基準映像データ間隔に対して短く、且つ前記所定数の基準映像データ間隔に対して半分以下である場合に前記直前の特定画像の再生を取りやめ、前記所定数の基準映像データ間隔に対して半分よりも長い場合に前記直前の特定画像を有する基準映像データの画像を再生し、前記最後の基準映像データから再生される特定画像を、前記時系列に出力される特定画像群の最後に出力することを特徴とする光ディスク装置。
【請求項２】
光ディスクに記録された１ｖｏｂｕを基準映像データとする映像データを読み出してデコードする映像データ読出手段と、
読み出した映像データをバッファリングするバッファリング手段と、
バッファリングされている映像データのうちの指定区間の映像データから所定数の基準映像データ間隔で特定画像を再生して時系列に出力する動作を繰り返すリピート処理手段と、を備えた光ディスク再生装置において、
前記リピート処理手段は、前記指定区間の映像データの最後の基準映像データを検出して、該最後の基準映像データから再生される特定画像を、前記時系列に出力される特定画像群の最後に出力することを特徴とする光ディスク装置。
【請求項３】
前記リピート処理手段は、前記最後の特定画像を有する基準映像データと、この直前の特定画像を有する基準映像データとの間隔が、前記所定数の基準映像データ間隔に対して短く且つ所定範囲内である場合に、前記直前の特定画像の再生を取りやめる請求項２に記載の光ディスク装置。
【請求項４】
前記最後の特定画像を有する基準映像データと、直前の特定画像を有する基準映像データとの間隔が、前記所定数の基準映像データ間隔に対して半分以下である場合に、前記直前の特定画像の再生を取りやめる請求項３に記載の光ディスク装置。
【発明の詳細な説明】
【技術分野】
【０００１】
この発明は、光ディスクに記録されている映像データを再生する光ディスク再生装置、特に、指定区間の映像データを所定間隔で画像として出力しながらリピートする機能を備える光ディスク再生装置に関するものである。
【背景技術】
【０００２】
従来、光ディスク再生装置には、早送りをしながら指定区間の映像をリピート再生する機能が備えられており、その１つとして、いわゆるIピクチャのリピート再生機能というものがある。
【０００３】
Iピクチャのリピート再生機能では、指定区間の映像データから所定間隔で画像を再生していくことを繰り返し行うものである。ここで、指定区間とは１つのタイトルであったり、１つのチャプターであったり、ユーザが指定する繰り返し開始位置から繰り返し終了位置までの区間である。そして、画像データの再生間隔を設定する方法として、映像データの最小基準単位であるｖｏｂｕを用いる。
【０００４】
図６は、従来の光ディスク装置のIピクチャリピート再生動作の概要を示すフローチャートである。また、図７は、従来のＩピクチャリピート再生動作を行った場合の再生処理の概念を示す図であり、１００は映像データ列、１１１〜１１５は画像再生を行うｖｏｂｕを示す。
【０００５】
図６に示すように、従来のＩピクチャリピート再生動作は、まず、リピート再生入力が受け付けられると、リピート再生する区間を識別する（Ｓ１０１）。次に、リピート再生区間の最初のｖｏｂｕを検出して、このｖｏｂｕ情報を取得する（Ｓ１０２）。ｖｏｂｕ情報を取得するとこのｖｏｂｕの画像を再生する（Ｓ１０３）。このとき、予め設定されているジャンプ数ｎで指定されるｎ個先のｖｏｂｕ情報を取得する（Ｓ１０４）。このｎ個先のｖｏｂｕが識別した指定区間内に存在すれば、次にこのｖｏｂｕの画像を再生する（Ｓ１０５→Ｓ１０６）。このときにも、さらにｎ個先のｖｏｂｕ情報を取得し、このｖｏｂｕが指定区間内に存在すればこのｖｏｂｕについても画像を再生する。この動作は、情報を取得したｖｏｂｕが指定区間外になった場合（Ｓ１０５）か、もしくはリピート再生の終了操作が入力される（Ｓ１０７）まで繰り返し行われる。
【０００６】
この状態を図７で表すと、リピート再生が入力されると、まず、映像データ列１００のリピート指定区間の最初のｖｏｂｕ１１１の画像が再生され（再生１）、その後、順にｖｏｂｕ１１１から順次ｎ個のｖｏｂｕ間隔で、ｖｏｂｕ１１２〜１１５が再生される（再生２〜再生５）。すなわち、再生１、再生２、再生３、再生４、再生５が順に行われ、再生５の次には再生１が行われる。この処理を繰り返し行うことで、Ｉピクチャリピート再生動作が行われる。そして、リピート再生の終了操作が入力されるとリピート再生終了処理を行い（Ｓ１０７→Ｓ１０８）、次の動作を開始する（リピート動作を終了する）。
【０００７】
このように、従来のＩピクチャリピート再生動作では、リピート指定区間の最初のｖｏｂｕ１１１から所定間隔のｖｏｂｕの画像を順次再生していくものである（例えば、特許文献１参照。）。
【特許文献１】特開２０００−１９７０５８公報
【発明の開示】
【発明が解決しようとする課題】
【０００８】
ところが、前述の従来の光ディスク装置のIピクチャリピート再生動作では、リピート指定区間の最初の画像は再生されるので、ユーザはリピート指定区間の最初の映像を見ることができるが、ジャンプするｖｏｂｕの間隔が指定区間のｖｏｂｕ数で割り切れるような状態でなければ、指定区間の最後の画像すなわち最後のシーン（映像）を確認することができない。このため、ユーザの所望するシーンが確実に指定区間内に存在するかどうかを確認することができない。特に、ジャンプするｖｏｂｕの間隔が広い場合、例えば、高速で早送り再生行いながらリピートする場合などでは、ユーザが指定区間の最後だと思って見たｖｏｂｕよりも後で指定区間内に多くの映像データが存在することなり、より分かりづらくなってしまう。
【０００９】
したがって、この発明の目的は、ユーザが指定した区間の映像を確実に認識させるＩピクチャリピート再生動作を行うことができる光ディスク装置を提供することにある。
【課題を解決するための手段】
【００１０】
この発明は、光ディスクに記録された１ｖｏｂｕを基準映像データとする映像データを読み出してデコードする映像データ読出手段と、読み出した映像データをバッファリングするバッファリング手段と、バッファリングされている映像データのうちの指定区間の映像データから所定数の基準映像データ間隔で特定画像を再生して時系列に出力する動作を繰り返すリピート処理手段と、を備えた光ディスク再生装置において、リピート処理手段で、指定区間の映像データの最後の基準映像データを検出して、該最後の基準映像データから再生される特定画像を、時系列に出力される特定画像群の最後に出力することを特徴としている。
【００１１】
この構成では、指定区域の最初の基準映像データ（ｖｏｂｕ）の画像と最後の基準映像データ（ｖｏｂｕ）の画像とが確実に再生されるので、指定区間が明確に識別可能な表示出力が行われる。
【００１２】
また、この発明の光ディスク装置のリピート処理手段は、最後の特定画像を有する基準映像データとこの直前の特定画像を有する基準映像データとの間隔が、所定数の基準映像データ間隔に対して短く且つ所定範囲内である場合に、直前の特定画像の再生を取りやめることを特徴としている。
【００１３】
また、この発明の光ディスク装置のリピート処理手段は、最後の特定画像を有する基準映像データとこの直前の特定画像を有する基準映像データとの間隔が所定数の基準映像データ間隔に対して半分以下である場合に直前の特定画像の再生を取りやめることを特徴としている。
【００１４】
この構成では、最後の基準映像データ（ｖｏｂｕ）と、この直前に選択される画像再生が行われる基準映像データ（ｖｏｂｕ）との間隔が所定間隔（例えば、予め設定された間隔の半分）より短ければ、直前に選択される画像と最後の画像との間でシーンの大きな違いがないので、直前に選択される画像を省略しても、ユーザに殆ど違和感を与えない。これにより、不必要に再生する画像数を増加させることなくリピート再生動作が行われる。
【発明の効果】
【００１５】
この発明によれば、リピート再生が指定された区間の最後の基準映像データの画像が再生されることで、ユーザは、リピート再生指定区間およびこの区間の映像データにより再生されるシーンの概要、さらには、リピート再生指定区間内に自らの所望するシーンが存在するかを確実に認識することができる。
【発明を実施するための最良の形態】
【００１６】
本発明の実施形態に係る光ディスク再生装置について図を参照して説明する。
【００１７】
図１は本実施形態に係る光ディスク再生装置の概略構成を示すブロック図である。
【００１８】
光ディスク再生装置は、光ピックアップ１、ＲＦアンプ２、データ再生部３、データ再生部３のバッファメモリ３１、サーボ回路４、ドライバ回路５、ターンテーブル６、スピンドルモータ７、トラバース機構８、ステッピングモータ９、操作部１１を備える。
【００１９】
光ピックアップ１は、図示しないレーザダイオード、コリメータレンズ、ビームスプリッタ、対物レンズ、フォトディテクタを備えており、光ディスク９０に対してレーザダイオードからレーザ光を照射し、光ディスク９０からの反射光をフォトディテクタで電気信号に変換することによって、光ディスク９０に記録されている情報を光学的に読み出す。フォトディテクタは、例えば、受光領域がほぼ均等に４分割されており、４つの受光領域からの電気信号をＲＦアンプ２に出力する。また、光ピックアップ１は、光ディスク９０に照射するレーザ光の焦点をその光軸方向に移動させるフォーカシングアクチュエータ（図示せず）と、前記レーザ光を光ディスク９０の半径方向に移動させるトラッキングアクチュエータ（図示せず）とを備えている。そして、フォーカシング制御およびトラッキング制御を行うことで、レーザ光を所望の記録トラックに追随させるとともにこの記録トラックにレーザ光の焦点を合わせる。
【００２０】
ＲＦアンプ２は、光ピックアップ１が読み出した信号を増幅してデータ再生回路３に出力するとともに、フォーカシングエラー信号とトラッキングエラー信号とを生成してサーボ回路４に出力する。
【００２１】
データ再生回路３は、ＲＦアンプ２から出力される信号に復調処理、誤り検出及び訂正処理などを施すことにより情報を所定形式のディジタルデータ（ＭＰＥＧ２形式等）に再生し、制御部１０から入力される表示出力命令により、必要な映像や画像を表示器８０に出力する。例えば、Ｉピクチャリピート再生命令が入力されれば、この命令に応じて後述する方法を用いてＩピクチャリピート再生動作を行う。この際、データ再生回路３は、ＲＦアンプ３から入力される信号を復調する際にメモリ３１にデータをバッファリングする。また、データ再生回路３は、ＲＦアンプ２から出力される信号から光ディスク９０の回転数を示す信号を生成してサーボ回路４へ出力する。ここで、データ再生回路３が本発明の「映像データ読出手段」および「リピート処理手段」に相当し、メモリ３１が本発明の「バッファリング手段」に相当する
サーボ回路４は、ＲＦアンプ２が出力したＦＥ信号、ＴＥ信号に基づいて、ＦＥ信号の値を０（基準レベル）にするためのフォーカシング駆動信号、ＴＥ信号の値を０（基準レベル）にするためのトラッキング駆動信号及びトラバース駆動信号を生成してドライバ回路１５に出力する。また、サーボ回路４は、データ再生回路３が出力する光ディスク９０の回転数を示す信号に基づいて、光ディスク９０の回転数を目標値にするためのスピンドルモータ駆動信号を生成しドライバ回路５に出力する。また、サーボ回路４は、制御部１０から入力されるシーク制御信号に基づいて、光ピックアップ９０を所定位置に移動させるためのトラバース駆動信号を生成してドライバ回路５に出力する。
【００２２】
ドライバ回路５は、フォーカシング駆動信号に基づいて光ピックアップ１内のフォーカシングアクチュエータを駆動し、トラッキング駆動信号に基づいてトラッキングアクチュエータを駆動する。また、ドライバ回路５は、トラバース駆動信号に基づいて光ピックアップ１を光ディスク９０の半径方向に移動させるトラバース機構８に備えられたステッピングモータ９を駆動し、スピンドルモータ駆動信号に基づいて光ディスク９０を載置するターンテーブル６を所定回転数で回転させるスピンドルモータ７を駆動する。
【００２３】
制御部２は、例えばマイクロコンピュータで構成されており、光ディスク装置に対してユーザが入力した命令に応じて光ディスク装置の各構成要素を制御する。また、制御部２は、操作部１１からの再生操作命令に従い、光ディスク９０の記録トラックの所定アドレス位置に光ピックアップ１からのレーザ光が照射するように、光ピックアップ１をシーク動作させるシーク制御信号をサーボ回路４に出力する。
【００２４】
操作部１１は、ユーザが光ディスク装置に対して各種の命令を入力するためのものである。光ディスク装置に対してユーザが入力した命令は制御部１０に出力される。
【００２５】
次に、具体的なＩピクチャリピート再生動作について説明する。
【００２６】
図２は本発明の光ディスク装置のＩピクチャリピート再生動作を示すフローチャートである。
【００２７】
図３は本発明のＩピクチャリピート再生動作を行った場合の画像再生処理の概念を示す図であり、１００は映像データ列、１１１〜１１６は画像再生を行うｖｏｂｕを示す。
【００２８】
図２に示すように、まずリピート再生入力が受け付けられると、リピート再生する区間を識別する（Ｓ１）。次に、リピート再生区間の最初のｖｏｂｕを検出して、このｖｏｂｕ情報を取得する（Ｓ２）。ｖｏｂｕ情報を取得するとこのｖｏｂｕの画像を再生する（Ｓ３）。このとき、予め設定されているジャンプ数ｎで指定されるｎ個先のｖｏｂｕ情報を取得する（Ｓ４）。
【００２９】
ここで、情報を取得したｎ個先のｖｏｂｕが識別した指定区間内に存在すれば、次にこのｖｏｂｕの画像を再生する（Ｓ５→Ｓ６）。この動作は、リピート再生の終了操作が入力するまで繰り返し行われる。すなわち、取得したｖｏｂｕ情報を再生する際には次のｎ個先のｖｏｂｕ情報を取得する（Ｓ７→Ｓ４）。
【００３０】
このような動作（処理）を繰り返している間で、情報を取得したｖｏｂｕが指定区間外になった場合（Ｓ５）には、識別された指定区間の最後のｖｏｂｕ情報を取得し、この取得したｖｏｂｕ情報から画像を再生する（Ｓ１０→Ｓ１１）。そして、再度最初のｖｏｂｕ情報の取得および最初のｖｏｂｕ情報からの画像再生を行う（Ｓ１１→Ｓ２）。ここで、１度再生した画像を繰り返し出力する処理においては、図２に示すように、毎度ｖｏｂｕ情報を取得せずとも、１度取得した情報をメモリ３１に記憶しておき、順次再生していく方法を用いてもよい。
【００３１】
この状態を図３で表すと、リピート再生が入力されると、まず、映像データ列１００のリピート指定区間の最初のｖｏｂｕ１１１の画像が再生され（再生１）、その後、順にｖｏｂｕ１１１から順次ｎ個のｖｏｂｕ間隔で、ｖｏｂｕ１１２〜１１５が再生される（再生２〜再生５）。すなわち、再生１、再生２、再生３、再生４、再生５が順に行われる。そして、指定区間の最後のｖｏｂｕ１１６の画像が再生される（再生６）。再生６が行われると、また再生１に戻り順次再生が繰り返される。
【００３２】
そして、リピート再生の終了操作が入力されるとリピート再生終了処理を行い（Ｓ７→Ｓ８）、次の動作を開始する（リピート動作を終了する）。
【００３３】
以上のような構成および処理を行うことにより、指定区間の最初のｖｏｂｕの画像と最後のｖｏｂｕの画像とが確実に再生されるので、ユーザに指定区間のシーンを正確に認識させることができる。また、従来のように指定区間の最後に再生された画像の後に映像が残っていることがないので、ユーザの所望の映像シーンが指定区間内に存在するかどうかを正確に識別されることができる。
【００３４】
なお、前述の処理では、指定区間の最後のｖｏｂｕとその直前のｖｏｂｕとの間隔によらず、画像を再生するので、これらのｖｏｂｕの間隔が極端に短い場合に直前のｖｏｂｕの画像を再生する必要がなくても再生してしまう。このため、以下に示す処理を行うことにより、より快適で必要最小限にＩピクチャリピート再生を行うことができる。
【００３５】
図４は本実施形態の他の処理方法でＩピクチャリピート再生動作を行った場合を示すフローチャートである。
【００３６】
図５は図４のＩピクチャリピート再生動作を行った場合の再生処理の概念を示す図であり、１００は映像データ列、１１１〜１１６は画像再生を行うｖｏｂｕを示す。
【００３７】
図４に示すように、まずリピート再生入力が受け付けられると、リピート再生する区間を識別する（Ｓ２１）。次に、リピート再生区間の最初のｖｏｂｕを検出して、このｖｏｂｕ情報を取得する（Ｓ２２）。ｖｏｂｕ情報を取得するとこのｖｏｂｕの画像を再生する（Ｓ２３）。このとき、予め設定されているジャンプ数ｎで指定されるｎ個先のｖｏｂｕ情報を取得する（Ｓ２４）とともに、さらにｎ個先のｖｏｂｕ情報（すなわち、今のｖｏｂｕから２ｎ個先のｖｏｂｕ情報）を取得する（Ｓ２５）。
【００３８】
ここで、情報を取得したｎ個先のｖｏｂｕと２ｎ個先のｖｏｂｕとがともに識別した指定区間内に存在すれば、ｎ個先のｖｏｂｕの画像を再生する（Ｓ２６→Ｓ２７）。この動作は、リピート再生の終了操作が入力するまで繰り返し行われる。すなわち、取得したｖｏｂｕ情報を再生する際には次のｎ個先のｖｏｂｕ情報を取得する（Ｓ２８→Ｓ２４）。
【００３９】
このような動作（処理）を繰り返している間で、情報を取得した２ｎ個先のｖｏｂｕが指定区間外になった場合（Ｓ２６）には、識別された指定区間の最後のｖｏｂｕ情報を取得する。次に、指定区間の最後のｖｏｂｕとこの直前のｖｏｂｕとの間のｖｏｂｕ間隔を挟まれるｖｏｂｕ数等により検出し（Ｓ３２）、このｖｏｂｕ間隔が予めジャンプ数として設定していたｎに対して１／２以下であれば、今回再生すべきｖｏｂｕ（すなわち最後のｖｏｂｕの直前のｖｏｂｕ）の画像再生を行わず、最後のｖｏｂｕの画像再生を行う（Ｓ３３→Ｓ３５）。一方、検出したｖｏｂｕ間隔が予めジャンプ数として設定していたｎに対して１／２より長ければ、今回再生すべきｖｏｂｕの画像再生を行って、最後のｖｏｂｕの画像再生を行う（Ｓ３３→Ｓ３４→Ｓ３５）。そして、再度最初のｖｏｂｕ情報の取得および最初のｖｏｂｕ情報からの画像再生を行う（Ｓ３５→Ｓ２２）。この場合も前述の説明と同様に、１度再生した画像を繰り返し出力する処理においては、図４に示すように、毎度ｖｏｂｕ情報を取得せずとも、１度取得した情報をメモリ３１に記憶しておき、順次再生していく方法を用いてもよい。
【００４０】
この状態を図５で表すと、リピート再生が入力されると、まず、映像データ列１００のリピート指定区間の最初のｖｏｂｕ１１１の画像が再生され（再生１）、その後、順にｖｏｂｕ１１１から順次ｎ個のｖｏｂｕ間隔で、ｖｏｂｕ１１２〜１１４が再生される（再生２〜再生４）。すなわち、再生１、再生２、再生３、再生４が順に行われる。ｖｏｂｕ１１５とｖｏｂｕ１１６との間隔が検出され、この間隔が１≦ａ≦ｎ／２であれば、ｖｏｂｕ１１５の画像再生（再生５）を取りやめて、指定区間の最後のｖｏｂｕ１１６の画像再生（再生６）が行われる。再生６が行われると、また再生１に戻り順次再生が繰り返される。一方、ｖｏｂｕ１１５とｖｏｂｕ１１６との間隔が検出され、この間隔がｎ／２＜ｂ＜ｎであれば、ｖｏｂｕ１１５の画像再生（再生５）、指定区間の最後のｖｏｂｕ１１６の画像再生（再生６）が順次行われる。
【００４１】
以上のような構成および処理を行うことで、指定区間の最後付近に再生するｖｏｂｕが近接しているかどうかを判断して、必要限な画像のみでＩピクチャリピート再生を行うことができる。
【００４２】
なお、前述の説明では、判定基準をジャンプ数ｎの１／２としたが、これに限ることなく、適当な値に設定すればよい。
【図面の簡単な説明】
【００４３】
【図１】本実施形態に係る光ディスク再生装置の概略構成を示すブロック図
【図２】本実施形態の光ディスク装置のＩピクチャリピート再生動作を示すフローチャート
【図３】本実施形態のＩピクチャリピート再生動作を行った場合の画像再生処理の概念を示す図
【図４】本実施形態の他の処理方法でＩピクチャリピート再生動作を行った場合を示すフローチャート
【図５】図４のＩピクチャリピート再生動作を行った場合の再生処理の概念を示す図
【図６】従来の光ディスク装置のIピクチャリピート再生動作の概要を示すフローチャート
【図７】従来のＩピクチャリピート再生動作を行った場合の再生処理の概念を示す図
【符号の説明】
【００４４】
１−光ピックアップ
２−ＲＦアンプ
３−データ再生回路
３１−メモリ
４−サーボ回路
５−ドライバ回路
６−ターンテーブル
７−スピンドルモータ
８−トラバース機構
９−ステッピングモータ
１０−制御部
１１−操作部
８０−表示器
９０−光ディスク
１００−映像データ列
１１１〜１１６−ｖｏｂｕ
【図１】
2006180130.tif 000003
【図２】
2006180130.tif 000004
【図３】
2006180130.tif 000005
【図４】
2006180130.tif 000006
【図５】
2006180130.tif 000007
【図６】
2006180130.tif 000008
【図７】
2006180130.tif 000009